(57)【要約】【課題】ユーザに対する媒体の新規発行および再発行を即時にできる発行装置等を提供する。【解決手段】発行装置２は、ユーザの申請に係るIDカード１０を発行するものである。発行装置２は、ユーザの顔画像を取得する取得部１０１と、IDカード１０をユーザに対し発行する発行部１０２と、ユーザに対しIDカード１０を新規発行する際、ユーザの顔画像をユーザの申請情報と紐付けて発行データとしてサーバ３に記録する記録部１０３と、を有する。ユーザに対しIDカード１０を再発行する際、取得部１０１は、当該ユーザの顔画像を取得し、発行部１０２は、当該ユーザの顔画像と発行データの顔画像が一致する場合、当該ユーザに対しIDカード１０を再発行する。【選択図】図６
2020009067.tif 000002
【特許請求の範囲】
【請求項１】
ユーザの申請に係る媒体を発行する発行装置であって、
ユーザの生体情報を取得する取得部と、
前記ユーザに対し媒体を発行する発行部と、
前記ユーザに対し媒体を新規発行する際に、前記取得部で取得した生体情報を前記ユーザの申請情報と紐付けて発行データとしてサーバに記録する記録部と、
を有し、
前記ユーザに対し媒体を再発行する際、
前記取得部は、前記ユーザの生体情報を取得し、
前記発行部は、当該生体情報と前記発行データの生体情報が一致する場合、前記ユーザに対し媒体を再発行することを特徴とする発行装置。
【請求項２】
前記生体情報は顔画像であることを特徴とする請求項１記載の発行装置。
【請求項３】
証明写真機であることを特徴とする請求項２に記載の発行装置。
【請求項４】
前記ユーザに対し媒体を新規発行する際、
前記発行部は、媒体に合わせて加工された前記顔画像を含む媒体を新規発行することを特徴とする請求項３に記載の発行装置。
【請求項５】
前記申請情報を前記ユーザの携帯端末から受信することを特徴とする請求項１から請求項４のいずれかに記載の発行装置。
【請求項６】
前記ユーザに対し媒体を再発行する際、
前記発行部は、前記サーバから受信した前記申請情報の少なくとも一部を含む媒体を再発行することを特徴とする請求項１から請求項５のいずれかに記載の発行装置。
【請求項７】
ユーザの申請に係る媒体の発行データを記憶するサーバであって、
発行装置で媒体を新規発行したユーザの申請情報と生体情報を前記発行データとして記憶する発行データ記憶部と、
前記ユーザに対し媒体を再発行する際に、前記ユーザの生体情報を前記発行装置から受信する受信部と、
前記受信部で受信した生体情報を前記発行データの生体情報と照合し、生体情報が一致する場合、前記ユーザに対し媒体を再発行するための再発行用データを前記発行装置に送信する送信部と、
を有することを特徴とするサーバ。
【請求項８】
ユーザの申請に係る媒体を発行する発行装置と、前記媒体の発行データを記憶するサーバとを有する発行システムであって、
前記発行装置は、
ユーザの生体情報を取得する取得部と、
前記ユーザに対し媒体を発行する発行部と、
前記ユーザに対し媒体を新規発行する際に、前記取得部で取得した生体情報を前記ユーザの申請情報と紐付けて発行データとしてサーバに記録する記録部と、
を有し、
前記ユーザに対し媒体を再発行する際、
前記取得部は、前記ユーザの生体情報を取得し、
前記発行部は、当該生体情報と前記発行データの生体情報が一致する場合、前記ユーザに対し媒体を再発行し、
前記サーバは、
前記発行装置で媒体を新規発行した前記ユーザの申請情報と生体情報を前記発行データとして記憶する発行データ記憶部と、
前記ユーザに対し媒体を再発行する際に、前記ユーザの生体情報を前記発行装置から受信する受信部と、
前記受信部で受信した生体情報を前記発行データの生体情報と照合し、生体情報が一致する場合、前記ユーザに対し媒体を再発行するための再発行用データを前記発行装置に送信する送信部と、
を有することを特徴とする発行システム。
【請求項９】
ユーザの申請に係る媒体を発行する発行方法であって、
発行装置が、
ユーザの生体情報を取得するステップと、
前記ユーザに対し媒体を発行するステップと、
前記ユーザに対し媒体を新規発行する際に、前記生体情報を前記ユーザの申請情報と紐付けて発行データとしてサーバに記録するステップと、
を実行し、
前記ユーザに対し媒体を再発行する際は、前記ユーザの生体情報を取得し、当該生体情報と前記発行データの生体情報が一致する場合、前記ユーザに対し媒体を再発行することを特徴とする発行方法。
【請求項１０】
コンピュータを、
ユーザの申請に係る媒体の発行データを記憶するサーバであって、
発行装置で媒体を新規発行したユーザの申請情報と生体情報を前記発行データとして記憶する発行データ記憶部と、
前記ユーザに対し媒体を再発行する際に、前記ユーザの生体情報を前記発行装置から受信する受信部と、
前記受信部で受信した生体情報を前記発行データの生体情報と照合し、生体情報が一致する場合、前記ユーザに対し媒体を再発行するための再発行用データを前記発行装置に送信する送信部と、
を有するサーバとして機能させるためのプログラム。
【発明の詳細な説明】
【技術分野】
【０００１】
本発明は、IDカード等の発行を行う発行装置等に関する。
【背景技術】
【０００２】
従来、顔画像付きのIDカードを新規発行するには、ユーザが発行者に申請情報と顔画像を送り、発行者が申請情報と顔画像に基づいてIDカードの新規発行用データを制作した後、IDカードを印刷してユーザに郵送する。
【０００３】
特許文献１には、ユーザ端末からユーザの個人データ等をサーバに送信し、証明写真機で撮影したユーザの顔写真データを証明写真機からサーバに送信することで、これらのデータを用いて受験票が印刷され、ユーザに郵送されることが記載されている。
【先行技術文献】
【特許文献】
【０００４】
【特許文献１】特開2015-069307号公報
【発明の概要】
【発明が解決しようとする課題】
【０００５】
現行のシステムでは、ユーザが発行者にデータを送信してからIDカード等の媒体がユーザに郵送されるまでの工程が多く、時間を要していた。また、IDカード等の媒体を紛失等した場合、その再発行にも時間がかかっていた。
【０００６】
本発明は上記の問題に鑑みてなされたものであり、ユーザに対する媒体の新規発行および再発行を即時にできる発行装置等を提供することを目的とする。
【課題を解決するための手段】
【０００７】
前述した課題を解決するための第１の発明は、ユーザの申請に係る媒体を発行する発行装置であって、ユーザの生体情報を取得する取得部と、前記ユーザに対し媒体を発行する発行部と、前記ユーザに対し媒体を新規発行する際に、前記取得部で取得した生体情報を前記ユーザの申請情報と紐付けて発行データとしてサーバに記録する記録部と、を有し、前記ユーザに対し媒体を再発行する際、前記取得部は、前記ユーザの生体情報を取得し、前記発行部は、当該生体情報と前記発行データの生体情報が一致する場合、前記ユーザに対し媒体を再発行することを特徴とする発行装置である。
【０００８】
本発明では、発行装置に生体情報等を入力するだけで、ユーザの申請に係るIDカードなどの媒体を発行装置で新規発行できる。また媒体の再発行時には、ユーザが発行装置に生体情報を入力するだけで、ユーザ認証を経て発行装置による媒体の再発行が可能になる。結果、媒体の新規発行や再発行を発行装置にてその場で即時に行うことができる。
【０００９】
前記生体情報は例えば顔画像であり、前記発行装置は例えば証明写真機である。
生体情報としては顔画像を用いることができ、街頭などに設置された証明写真機でこれを容易に取得することができる。
【００１０】
また、前記ユーザに対し媒体を新規発行する際、前記発行部は、媒体に合わせて加工された前記顔画像を含む媒体を新規発行することも望ましい。
媒体に合わせた顔画像のクロップ等の加工も、証明写真機の従来機能を利用して即時に行うことができる。
【００１１】
前記発行装置は、前記申請情報を前記ユーザの携帯端末から受信することも望ましい。
本発明の発行装置は、携帯端末で入力された申請情報を無線通信手段などによって受信することができ、その場で申請情報の入力が可能であり事前申請が不要になる。
【００１２】
前記ユーザに対し媒体を再発行する際、前記発行部は、前記サーバから受信した前記申請情報の少なくとも一部を含む媒体を再発行することも望ましい。
本発明の発行装置は、媒体の再発行時に顔画像を取得するだけで、サーバから受信した申請情報を含む媒体を再発行できるので、再発行時に申請情報を再入力する手間がかからない。
【００１３】
第２の発明は、ユーザの申請に係る媒体の発行データを記憶するサーバであって、発行装置で媒体を新規発行したユーザの申請情報と生体情報を前記発行データとして記憶する発行データ記憶部と、前記ユーザに対し媒体を再発行する際に、前記ユーザの生体情報を前記発行装置から受信する受信部と、前記受信部で受信した生体情報を前記発行データの生体情報と照合し、生体情報が一致する場合、前記ユーザに対し媒体を再発行するための再発行用データを前記発行装置に送信する送信部と、を有することを特徴とするサーバである。
第２の発明は、第１の発明の発行装置と通信可能に接続されるサーバである。当該サーバでは、発行装置でユーザの媒体を新規発行するのに対応して、ユーザの媒体の発行データを新たに記録する。また、ユーザの媒体の再発行時には、ユーザの生体情報を用いてユーザ認証を行うことができる。
【００１４】
第３の発明は、ユーザの申請に係る媒体を発行する発行装置と、前記媒体の発行データを記憶するサーバとを有する発行システムであって、前記発行装置は、ユーザの生体情報を取得する取得部と、前記ユーザに対し媒体を発行する発行部と、前記ユーザに対し媒体を新規発行する際に、前記取得部で取得した生体情報を前記ユーザの申請情報と紐付けて発行データとしてサーバに記録する記録部と、を有し、前記ユーザに対し媒体を再発行する際、前記取得部は、前記ユーザの生体情報を取得し、前記発行部は、当該生体情報と前記発行データの生体情報が一致する場合、前記ユーザに対し媒体を再発行し、前記サーバは、前記発行装置で媒体を新規発行した前記ユーザの申請情報と生体情報を前記発行データとして記憶する発行データ記憶部と、前記ユーザに対し媒体を再発行する際に、前記ユーザの生体情報を前記発行装置から受信する受信部と、前記受信部で受信した生体情報を前記発行データの生体情報と照合し、生体情報が一致する場合、前記ユーザに対し媒体を再発行するための再発行用データを前記発行装置に送信する送信部と、を有することを特徴とする発行システムである。
第３の発明は、第１の発明の発行装置と第２の発明のサーバを有する発行システムである。
【００１５】
第４の発明は、ユーザの申請に係る媒体を発行する発行方法であって、発行装置が、ユーザの生体情報を取得するステップと、前記ユーザに対し媒体を発行するステップと、前記ユーザに対し媒体を新規発行する際に、前記生体情報を前記ユーザの申請情報と紐付けて発行データとしてサーバに記録するステップと、を実行し、前記ユーザに対し媒体を再発行する際は、前記ユーザの生体情報を取得し、当該生体情報と前記発行データの生体情報が一致する場合、前記ユーザに対し媒体を再発行することを特徴とする発行方法である。
第４の発明は、第１の発明の発行装置による媒体の発行方法である。
【００１６】
第５の発明は、コンピュータを、ユーザの申請に係る媒体の発行データを記憶するサーバであって、発行装置で媒体を新規発行したユーザの申請情報と生体情報を前記発行データとして記憶する発行データ記憶部と、前記ユーザに対し媒体を再発行する際に、前記ユーザの生体情報を前記発行装置から受信する受信部と、前記受信部で受信した生体情報を前記発行データの生体情報と照合し、生体情報が一致する場合、前記ユーザに対し媒体を再発行するための再発行用データを前記発行装置に送信する送信部と、を有するサーバとして機能させるためのプログラムである。
【発明の効果】
【００１７】
本発明により、ユーザに対する媒体の新規発行および再発行を即時にできる発行装置等を提供することができる。
【図面の簡単な説明】
【００１８】
【図１】発行システム１を示す図。
【図２】発行装置２の外観を示す図。
【図３】発行装置２のシステム構成を示す図。
【図４】制御装置２０のハードウェア構成を示す図。
【図５】サーバ３のハードウェア構成を示す図。
【図６】発行システム１の機能構成を示す図。
【図７】発行データ１００の例。
【図８】IDカード１０の新規発行の手順を示すフローチャート。
【図９】表示部２１のトップ画面と申請情報１２０の入力画面の例。
【図１０】IDカード１０の例。
【図１１】IDカード１０の再発行の手順を示すフローチャート。
【図１２】発行データ１００の例。
【発明を実施するための形態】
【００１９】
以下、図面に基づいて本発明の好適な実施形態について詳細に説明する。
【００２０】
（１．発行システム１）
図１は本発明の実施形態に係る発行システム１を示す図である。発行システム１は発行装置２、サーバ３等を有し、ユーザの申請に係るIDカード（媒体）をユーザに発行する。
【００２１】
特に本実施形態の発行システム１では、ユーザに対しIDカードを即時に新規発行でき、またIDカードの紛失時等にもその再発行を即時に行うことが可能である。IDカードはユーザの本人確認が可能なカードであり、例えば社員証、学生証、運転免許証、マイナンバーカード、在留カード、受験票などであるが、これに限定されない。また「発行」の語は上記の新規発行と再発行を総称するものとする。
【００２２】
発行装置２はユーザが自身の撮影を行う写真撮影装置としての機能も有し、例えば街頭に設置された証明写真機である。発行装置２はユーザを撮影してその画像を証明写真としてプリントする（証明写真サービス）のに加え、IDカードの発行を行う。
【００２３】
図２は発行装置２の外観を示す図であり、図３は発行装置２のシステム構成を示す図である。
【００２４】
発行装置２はボックス状の外観を有し、制御装置２０、表示部２１、課金部２２、撮影部２３、照明２４、プリンタ２５、プリント物取出口２６、読取部２７、カーテン２８、センサ２９等を有する。
【００２５】
制御装置２０は発行装置２の内部に設けられ、発行装置２の処理全体を制御する。
【００２６】
図４は制御装置２０のハードウェア構成を示す図である。図４に示すように、制御装置２０は、例えば制御部２０１、記憶部２０２、入力部２０３、通信部２０４等をバス等により接続して構成したコンピュータにより実現できる。但しこれに限ることなく、適宜様々な構成をとることができる。
【００２７】
制御部２０１はCPU、ROM、RAMなどから構成される。CPUは、記憶部２０２、ROMなどの記憶媒体に格納された制御装置２０の処理に係るプログラムをRAM上のワークエリアに呼び出して実行し、発行装置２の各部を制御して後述する処理を実現する。ROMは不揮発性メモリであり、ブートプログラムやBIOSなどのプログラム、データなどを恒久的に保持している。RAMは揮発性メモリであり、記憶部２０２、ROMなどからロードしたプログラムやデータを一時的に保持するとともに、制御部２０１が各種処理を行うために使用するワークエリアを備える。
【００２８】
記憶部２０２はハードディスクドライブやソリッドステートドライブ、フラッシュメモリ等であり、後述する処理に際し制御装置２０が実行するプログラム、プログラム実行に必要なデータ、OS（オペレーションシステム）等が格納される。これらのプログラムやデータは、制御部２０１により必要に応じて読み出され実行される。
【００２９】
入力部２０３は制御装置２０に各種の設定入力を行うものである。
通信部２０４はネットワーク等を介した通信を媒介する通信インタフェースであり、サーバ３等との間で通信を行う。
【００３０】
図２、３の説明に戻る。表示部２１は、発行装置２の入力部を兼ねたタッチパネル付ディスプレイ等により実現される。表示部２１は、ユーザの操作、選択に係る各種の画面を表示し、画面上のタッチパネル操作によるユーザの指示入力等を受付ける。
【００３１】
課金部２２は、硬貨や紙幣の投入口、つり銭返却口、レシート取出口、レシートプリンタ等（不図示）を備え、ユーザからの課金やレシートの発行を管理する。
【００３２】
撮影部２３は、撮影窓の内側にカメラ等を設けたものである。カメラには例えば高解像度のデジタルカメラが用いられるが、これに限ることはない。
【００３３】
照明２４は、発行装置２のボックス内の全体を照らす照明である。照明２４は例えば白色の光を照射する面光源であり、撮影部２３の上部に設けられるが、これに限ることはない。なお、発行装置２のボックス内には撮影時のフラッシュ用にストロボ光源も設けられる。
【００３４】
プリンタ２５は、画像を用紙にプリントするものであり、発行装置２の内部に設けられる。画像をプリントしたプリント物はプリント物取出口２６に排出される。プリンタ２５の方式や設置台数等は特に問わない。また、IDカードの発行を行うために専用のカードプリンタを設けることも可能である。
【００３５】
読取部２７は、読取用のイメージスキャナ等を有する。
カーテン２８は、発行装置２のボックス内を外部から遮るものである。
センサ２９は、発行装置２のボックス内に入ったユーザを検知するセンサである。センサ２９は例えば赤外線センサであるが、これに限ることはない。
【００３６】
サーバ３は、IDカードの発行者のサーバであり、発行装置２とネットワークを介して通信可能に接続される。サーバ３は、ユーザの申請に係るIDカードの発行データを記憶し、発行データによるIDカードの管理を始めとしてIDカードの発行に係る各種の処理を行う。発行データについては後述する。
【００３７】
図５はサーバ３のハードウェア構成を示す図である。図５に示すように、サーバ３は、例えば制御部３１、記憶部３２、表示部３３、入力部３４、及び通信部３５等をバス等により接続して構成したコンピュータにより実現できる。但し、これに限ることなく、適宜様々な構成をとることができる。
【００３８】
制御部３１、記憶部３２、入力部３４、通信部３５の機能は上述した制御部２０１、記憶部２０２、入力部２０３、通信部２０４と略同様である。表示部３３は液晶パネル等のディスプレイ装置を備える。
【００３９】
また、記憶部３２には後述する処理をサーバ３に実行させるためのプログラムが格納される。なお入力部３４はキーボード、マウス等のポインティングデバイス、テンキー等の入力装置を有する。
【００４０】
図６は発行システム１の機能構成を示す図である。図６に示すように、発行システム１は、取得部１０１、発行部１０２、記録部１０３、発行データ記憶部１０４、受信部１０５、送信部１０６等を有する。
【００４１】
取得部１０１は、発行装置２が、ユーザに対してIDカード１０を発行（新規発行および再発行）する際にユーザの顔画像を取得するものである。
【００４２】
発行部１０２は、発行装置２が、IDカード１０をユーザに対し発行（新規発行および再発行）するものである。
【００４３】
記録部１０３は、発行装置２が、ユーザに対してIDカード１０を新規発行する際に、取得部１０１で取得した顔画像を、ユーザの申請情報と紐付けて発行データとしてサーバ３に記録するものである。
【００４４】
発行データ記憶部１０４は、サーバ３が、発行装置２でIDカード１０を新規発行したユーザの申請情報と顔画像を発行データとして記憶部３２に記憶するものである。
【００４５】
受信部１０５は、ユーザに対しIDカード１０を再発行する際、サーバ３が当該ユーザの顔画像を発行装置２から受信するものである。
【００４６】
送信部１０６は、ユーザに対しIDカード１０を再発行する際、サーバ３が、当該ユーザの顔画像を発行データの顔画像と照合し、顔画像が一致する場合、当該ユーザにIDカード１０を再発行するための再発行用データを発行装置２に送信するものである。
【００４７】
図７は発行データ１００の例である。発行データ１００は、例えばユニークID１１０、申請情報１２０、顔画像１３０、顔画像の特徴量１４０、発行情報１５０、有効性情報１６０等を紐付けて記録したものである。
【００４８】
ユニークID１１０は、IDカード１０を一意に識別する識別情報である。
【００４９】
申請情報１２０は、IDカード１０の新規発行を行うためにユーザが入力する申請用のテキスト情報であり、ユーザの個人情報などを含む。本実施形態では申請情報１２０の少なくとも一部のテキスト情報（例えばユーザの氏名など）がIDカード１０に表示されるが、これに限ることはない。
【００５０】
顔画像１３０はユーザの顔画像（生体情報）であり、IDカード１０の新規発行時に発行装置２で撮影されたものである。
【００５１】
顔画像の特徴量１４０は、上記顔画像１３０から算出された特徴量である。特徴量としては顔画像１３０に関する既知のパラメータを用いることができ、その値を既知の方法で算出できる。
【００５２】
発行情報１５０はIDカード１０の発行を行ったか否かを示す情報であり、例えば発行を行っていない場合に「未」が記録され、発行を行った場合に「済」が記録される。
【００５３】
有効性情報１６０はIDカード１０が有効か無効かを示す情報である。例えばユーザがIDカード１０を紛失等してIDカード１０を再発行した場合、紛失等した元のIDカード１０の有効性情報１６０には当該IDカード１０が無効であることを示す「無効」が記録される。それ以外の場合にはIDカード１０が有効であることを示す「有効」が記録される。
【００５４】
（２．発行システム１の処理）
次に、発行システム１の処理について説明する。本実施形態の発行システム１では、IDカード１０の新規発行、および紛失等したIDカード１０の再発行を行うことができ、以下ではそれぞれの手順について説明する。
【００５５】
（２−１．IDカード１０の新規発行）
図８はIDカード１０の新規発行の手順を示すフローチャートであり、図８のＳ１０１〜Ｓ１０２、Ｓ１０６〜Ｓ１１２は発行装置２の制御装置２０が実行する。その他の処理はサーバ３の制御部３１が実行する。
【００５６】
本実施形態において、IDカード１０を新規発行するユーザは街頭の発行装置２へと向かい、発行装置２のボックス内に入る。発行装置２は、センサ２９によってユーザを検知すると表示部２１にトップ画面を表示させる。
【００５７】
図９（ａ）は表示部２１のトップ画面の例である。本実施形態ではトップ画面でサービスの選択を行うことができ、証明写真サービスを始めとした各種のサービスがボタン２１１によって選択可能に表示される。IDカード１０の新規発行や再発行はそのサービスの一つであり、ここでは表示部２１のタッチパネル操作によりIDカード１０の新規発行を行うためのボタン２１１をユーザが選択するものとする。
【００５８】
IDカード１０の新規発行が選択されると、発行装置２は表示部２１に申請情報１２０を入力するためのガイダンスを表示させる。ユーザはガイダンスに従って自身の携帯端末を発行装置２に無線通信可能に接続し、携帯端末上で入力した申請情報１２０を発行装置２に送信する。図９（ｂ）は携帯端末８に表示される申請情報１２０の入力画面の例であり、ユーザは、申請情報１２０として氏名、年齢、性別、住所などの個人情報をそれぞれの入力領域２１２に入力する。
【００５９】
発行装置２は申請情報１２０をユーザの携帯端末８から受信し（Ｓ１０１）その入力を受付けると、サーバ３に申請情報１２０を送信する（Ｓ１０２）。
【００６０】
サーバ３は、申請情報１２０を受信する（Ｓ１０３）と、発行データ１００を新たに作成する（Ｓ１０４）。この時、発行データ１００のユニークID１１０として新たに作成したIDを記録し、上記の申請情報１２０と紐付ける。また、発行情報１５０としてはIDカード１０の発行を行っていないことを示す情報（「未」）を記録し、有効性情報１６０としてはIDカード１０が有効であることを示す情報（「有効」）を記録する。
【００６１】
その後、サーバ３は、IDカード１０の新規発行を行うための新規発行用データを発行装置２に送信する（Ｓ１０５）。新規発行用データは、例えば、申請情報１２０のうちIDカード１０に表示するテキスト情報（例えばユーザの氏名など）、画像やテキストを含むIDカード１０のテンプレート、ユニークID１１０から作成した二次元コード等を有する。
【００６２】
発行装置２は、新規発行用データをサーバ３から受信する（Ｓ１０６）。また、発行装置２はユーザの顔画像１３０を撮影するためのガイダンス等を表示部２１に表示し、ユーザの顔画像１３０を撮影して取得する（Ｓ１０７；図６の取得部１０１に対応）。
【００６３】
発行装置２は、顔画像１３０がIDカード１０に適しているか否かの判定を行う（Ｓ１０８）。この判定は、例えば、２人の人物が映っている、目を閉じているといったIDカード１０の顔画像１３０としての不適合要因を既知の画像処理技術を用いて顔画像１３０から検出するものである。上記のような不適合要因が存在すると顔画像１３０がIDカード１０に適していないと判定され、そうでないと顔画像１３０がIDカード１０に適していると判定される。
【００６４】
顔画像１３０がIDカード１０に適していない場合（Ｓ１０８；ＮＯ）、発行装置２はその旨を表示部２１に表示するなどして再度顔画像１３０の撮影を行う（Ｓ１０７）。一方、顔画像１３０がIDカード１０に適している場合（Ｓ１０８；ＹＥＳ）、発行装置２は、IDカード１０の新規発行に必要な料金を表示部２１に表示させ、ユーザによる料金の支払を促す。ユーザは表示部２１に表示された料金を確認し、課金部２２にて課金を行う。
【００６５】
発行装置２は、課金を受付けると（Ｓ１０９）、顔画像１３０のクロップなどIDカード１０に合わせた顔画像１３０の加工を行い（Ｓ１１０）、加工後の顔画像１３０と新規発行用データを合成したIDカード１０の新規発行を行う（Ｓ１１１；図６の発行部１０２に対応）。
【００６６】
本実施形態では、図１０（ａ）に示すように、ユーザの顔画像１３０（加工後の顔画像１３０）が新規発行用データ２００に合成された紙のIDカード１０の印刷出力をプリンタ２５にて行う。前記したように、新規発行用データ２００は、申請情報１２０のうちIDカード１０に表示するテキスト情報を有しており、図１０（ａ）の例では当該テキスト情報としてユーザの氏名２１０が印刷される。図１０（ａ）の符号２２０はユニークID１１０を含んだ二次元コードである。
【００６７】
なお、IDカード１０は紙のIDカードに限らない。例えば図１０（ｂ）に示すように、ユーザの顔画像１３０および新規発行用データ２００をデジタルID証（電子媒体）１０’としてユーザの携帯端末８にデータ出力し、これらのデータが携帯端末８で表示されるようにしてもよい。
【００６８】
発行装置２は、ユーザに対してIDカード１０を新規発行すると、発行データ１００の記録要求をサーバ３に送信する（Ｓ１１２；図６の記録部１０３に対応）。上記の記録要求には、ユーザの顔画像１３０（ここでは、加工後の顔画像１３０とする）とユーザにIDカード１０を新規発行した旨の情報が含まれる。
【００６９】
サーバ３は、上記の記録要求を受信する（Ｓ１１３）と、ユーザの顔画像１３０からその特徴量１４０を算出し（Ｓ１１４）、ユーザの顔画像１３０とその特徴量１４０を前記のユニークID１１０、申請情報１２０等と紐付けて発行データ１００として記録する（Ｓ１１５；図６の発行データ記憶部１０４に対応）。また発行データ１００の発行情報１５０として「済」を記録する。この状態を示すのが前記した図７の発行データ１００である。
【００７０】
本実施形態では、以上の処理によりユーザにIDカード１０が新規発行され、サーバ３はそのIDカード１０の発行データ１００を記録する。IDカード１０による認証時には、例えば二次元コード２２０を読取って得たユニークID１１０を用い、発行データ１００の申請情報１２０や顔画像１３０などの照会を行う。
【００７１】
（２−２．IDカード１０の再発行）
ユーザがIDカード１０を紛失等して無くした場合、ユーザにIDカード１０を再発行する必要が生じる。本実施形態の発行システム１では、IDカード１０の再発行も発行装置２で即時に行うことを可能としており、以下その手順について説明する。
【００７２】
図１１はIDカード１０の再発行の手順を示すフローチャートであり、図１１のＳ２０１〜Ｓ２０２、Ｓ２０７〜Ｓ２０８、Ｓ２１１〜Ｓ２１４は発行装置２の制御装置２０が実行する処理である。その他の処理はサーバ３の制御部３１が実行する。
【００７３】
本実施形態において、IDカード１０を紛失等したユーザは街頭の発行装置２へと向かい、発行装置２のボックス内に入る。発行装置２はセンサ２９によりユーザを検知して表示部２１にトップ画面（図９（ａ）参照）を表示させる。ユーザは、トップ画面にてIDカード１０の再発行を行うためのボタン２１１を選択する。
【００７４】
すると、発行装置２は、ユーザの顔画像を撮影するためのガイダンスを表示部２１に表示し、ユーザの顔画像を撮影して取得する（Ｓ２０１；図６の取得部１０１に対応）。発行装置２は、当該ユーザの顔画像をサーバ３に送信する（Ｓ２０２）。
【００７５】
サーバ３は、顔画像を受信する（Ｓ２０３；図６の受信部１０５に対応）と、その顔画像を発行データ１００の顔画像１３０と照合してユーザ認証を行う。
【００７６】
ここでは顔画像の照合を特徴量によって行い、Ｓ２０３で受信した顔画像の特徴量を算出（Ｓ２０４）した後、当該特徴量と一致する特徴量１４０を有する発行データ１００が存在するか否かを判定する（Ｓ２０５）。
【００７７】
そのような発行データ１００が存在しない場合（Ｓ２０５；ＮＯ）、サーバ３はIDカード１０の再発行不可の旨を発行装置２に送信する（Ｓ２０６）。発行装置２はこれを受信して（Ｓ２０７）、表示部２１に表示し（Ｓ２０８）、処理を終了する。
【００７８】
一方、Ｓ２０４で算出した特徴量と一致する特徴量１４０を有する発行データ１００（後述する発行データ１００−１）が存在する場合（Ｓ２０５；ＹＥＳ）、サーバ３は、発行装置２で撮影したユーザの顔画像が、既にIDカード１０を発行したユーザの顔画像１３０と一致するとしてユーザ認証を完了し、再発行するIDカード１０に係る発行データ１００を新たに作成する（Ｓ２０９）。
【００７９】
図１２（ａ）に示すように、この発行データ１００（１００−２）は、既に発行した（そしてユーザが紛失等した）元のIDカード１０の発行データ１００（１００−１）と紐付けて記録し、申請情報１２０、顔画像１３０、顔画像の特徴量１４０も元の発行データ１００−１と同じデータを記録する。ただし、ユニークID１１０については、元の発行データ１００−１とは異なるIDを新たに作成して記録する。発行情報１５０としてはIDカード１０の発行を行っていないことを示す情報（「未」）を記録し、有効性情報１６０としてはIDカード１０が有効であることを示す情報（「有効」）を記録する。
【００８０】
サーバ３は、Ｓ２０９で発行データ１００（１００−２）を作成した後、IDカード１０の再発行を行うための再発行用データを当該発行データ１００−２の顔画像１３０とともに発行装置２に送信する（Ｓ２１０；図６の送信部１０６に対応）。再発行用データは前記の新規発行用データ２００と同様であり、申請情報１２０のうちIDカード１０に表示するテキスト情報（例えばユーザの氏名など）等が含まれる。
【００８１】
発行装置２は、再発行用データと顔画像１３０を受信する（Ｓ２１１）と、IDカード１０の再発行が可能な旨とIDカード１０の再発行に必要な料金を表示部２１に表示させ、ユーザによる料金の支払いを促す。この料金はIDカード１０の再発行料相当であり、IDカード１０の新規発行時の料金より少ないものとする。ただしこれに限ることはなく、課金を省略することも可能である。
【００８２】
ユーザは表示部２１に表示された料金を確認し、課金部２２にて課金を行う。発行装置２は、課金を受付けると（Ｓ２１２）、Ｓ２１１で受信した再発行用データと顔画像１３０を合成した図１０（ａ）と同様のIDカード１０の再発行を行う（Ｓ２１３；図６の発行部１０２に対応）。
【００８３】
発行装置２は、IDカード１０の再発行を行うと、IDカード１０を再発行した旨の情報をサーバ３に送信し（Ｓ２１４）、サーバ３はこれを受信する（Ｓ２１５）。そして、サーバ３は、図１２（ｂ）に示すように、再発行したIDカード１０の発行データ１００（１００−２）の発行情報１５０として「済」を記録する（Ｓ２１６）。
【００８４】
なお、この際サーバ３は、紛失等した元のIDカード１０の発行データ１００（１００−１）に、そのIDカード１０が無効であることを示す有効性情報１６０（「無効」）を記録する。IDカード１０による認証時に発行データ１００の有効性情報１６０を参照し、有効性情報１６０が「無効」であるIDカード１０を無効とすることで、紛失等したIDカード１０の悪用を防止できる。
【００８５】
以上説明したように、本実施形態では、発行装置２に顔画像１３０等を入力するだけで、ユーザの申請に係るIDカード１０を発行装置２で新規発行できる。また、IDカード１０の再発行時には、ユーザが発行装置２で顔画像を撮影するだけで、ユーザ認証を経て発行装置２によるIDカード１０の再発行が可能になり、再発行時に事前申請やコード等の特別な情報の入力も不要である。結果、IDカード１０の新規発行や再発行を発行装置２でその場で即時に行うことができる。
【００８６】
本実施形態の発行装置２は証明写真機であり、街頭などに設置された証明写真機で容易に顔画像１３０を取得できる。IDカード１０の新規発行時には、顔画像１３０を撮影した瞬間に証明写真機の従来機能を用いてIDカード１０に応じた顔画像１３０の加工を行い、サーバ３からダウンロードした新規発行用データ２００と顔画像１３０を含んだIDカード１０を即時に発行できる。
【００８７】
また、本実施形態の発行装置２は、携帯端末８で入力された申請情報１２０を無線通信手段などによって受信することができ、その場で申請情報１２０の入力が可能になりIDカード１０の新規発行時にも事前申請が不要になる。IDカード１０の再発行時には、顔画像を撮影するだけで、サーバ３から受信した申請情報１２０を含むIDカード１０を再発行できるので、再発行時に申請情報１２０を再入力する手間もかからない。
【００８８】
また、サーバ３では、発行装置２でユーザのIDカード１０を新規発行するのに対応して、ユーザのIDカード１０の発行データ１００を新たに記録する。ユーザのIDカード１０の再発行時には、ユーザの顔画像を用いてユーザ認証を行うことができる。
【００８９】
しかしながら、本発明はこれに限らない。例えば本実施形態ではユーザの携帯端末８で入力した申請情報１２０を発行装置２に送信しているが、発行装置２の表示部２１のタッチパネル操作により発行装置２に申請情報１２０を直接入力してもよい。
【００９０】
または、ユーザがPCやスマートフォン、タブレットなどの端末を用い、専用のWebサイトやアプリケーションにより申請情報１２０をサーバ３に事前登録してもよい。この場合、サーバ３は、申請情報１２０を登録したユーザのメールアドレス等に当該申請情報１２０に対応する簡易IDをバーコード等で送信する。IDカード１０の新規発行時には、ユーザが発行装置２の読取部２７にバーコード等を読み取らせ、発行装置２で撮影したユーザの顔画像１３０と簡易IDをサーバ３に送信することで、当該顔画像１３０を申請情報１２０と紐付けて発行データ１００として記録することが可能である。
【００９１】
また、IDカード１０の新規発行時にユーザの本人確認処理を行ってもよい。例えば、ユーザが運転免許証などの顔画像付きのIDカード（上記のIDカード１０とは別のIDカード）を所持しているものとし、このIDカードを本人確認に用いる。
【００９２】
一例として、課金（図８のＳ１０９）を行う前の段階で、発行装置２が、ユーザの顔画像付きのIDカードを読取部２７に提示するよう表示部２１にガイダンスを表示する。ユーザは読取部２７にIDカードを提示し、発行装置２は読取部２７にてIDカードを読取り、IDカードの画像からユーザの顔画像を切出して当該顔画像が前記のＳ１０７でユーザを撮影して得た顔画像と一致するか判定する。例えば両顔画像から算出した特徴量を比較し、両特徴量が一致すれば同じ人物、異なっていれば違う人物と判定する。前者の場合、発行装置２は、本人確認ができなかったとしトップ画面に戻って処理を終了する。後者の場合、Ｓ１０９の課金処理に移行すればよい。こうしてユーザの本人確認を行うことで、別人になりすましてのIDカードの不正発行を防ぐことができる。
【００９３】
また、本実施形態では生体情報として顔画像を取得し、顔画像に基づく生体認証（顔認証）を行ったが、生体情報として指紋画像や静脈画像、虹彩画像を取得し、生体認証として指紋認証や静脈認証、虹彩認証を行うことも可能である。生体情報の取得に関しては、指紋や静脈、虹彩の読取を行う読取装置を発行装置２に設けておけばよい。また、顔画像、指紋画像、静脈画像、虹彩画像のうち複数の生体情報の組み合わせによる多要素認証を行ってもよい。
【００９４】
また、本実施形態ではIDカード１０の発行を行っているが、発行する媒体はこれに限らない。例えばクレジットカードやキャッシュカードなどのその他のカードであってもよいし、通行証、イベントチケット、ADカード（アクレディテーションカード）などのパスであってもよい。
【００９５】
また、本実施形態では発行装置２として証明写真機を用いたが、これに限らず、生体情報を取得でき、IDカード等の媒体の発行が可能であればよい。例えばスマートフォンなどの携帯端末を用いることも可能である。
【００９６】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００９７】
１：発行システム
２：発行装置
３：サーバ
８：携帯端末
１０：IDカード
１００：発行データ
１０１：取得部
１０２：発行部
１０３：記録部
１０４：発行データ記憶部
１０５：受信部
１０６：送信部
１１０：ユニークID
１２０：申請情報
１３０：顔画像
１４０：特徴量
１５０：発行情報
１６０：有効性情報
【図１】
2020009067.tif 000003
【図２】
2020009067.tif 000004
【図３】
2020009067.tif 000005
【図４】
2020009067.tif 000006
【図５】
2020009067.tif 000007
【図６】
2020009067.tif 000008
【図７】
2020009067.tif 000009
【図８】
2020009067.tif 000010
【図９】
2020009067.tif 000011
【図１０】
2020009067.tif 000012
【図１１】
2020009067.tif 000013
【図１２】
2020009067.tif 000014